(57)【要約】  エリア2000内の人物1000を監視するためのシステム10、方法200、監視装置120、監視システム100、センサーデバイス110、キット、デバイス105、および／またはコンピュータプログラム製品が開示されている。１つの側面として、監視システム100は、エリア2000内の人を検知するためのエリア2000内に取り付けられたセンサーデバイス110：センサーデバイス110と通信状態にある監視装置12を含む。監視装置は、センサーデバイス110から1つ以上のセンサー信号を示すデータを受信し、１つ以上のルールが充足されるかを判断するためにセンサー信号を監視し、１つ以上のルールが充足される場合に人の救助を要請するため1つ以上のデバイスと通信する。【選択図】図１０
2015502598.tif 000002
【特許請求の範囲】
【請求項１】
監視システムは以下を含む：
エリア内の人を検知するためにエリア内に取り付けられるセンサーデバイス；
以下の目的でセンサーデバイスと通信するための監視装置：
センサーデバイスからの１つ以上のセンサー信号を示すデータを受信する
こと；
１つ以上のルールを充足するかを決定するためにセンサー信号を監視する
こと；および
１つ以上のルールを充足する場合、人命救助を要求するために１つ以上のデ
バイスと通信すること。
【請求項２】
請求項1に記載の監視システムは、センサーデバイスがエリア内の人の動きを感知する、
ことを特徴とする監視システム。
【請求項３】
請求項2に記載の監視システムは、人が救助を必要とするかどうかを決定するために、動きの存在または欠如を用いた１つ以上のルールを使用する、
ことを特徴とする監視システム。
【請求項４】
請求項1から3までのいずれかに記載された監視システムは、センサーデバイスが人物とセンサーデバイスとの間の1つ以上の距離を感知する、
ことを特徴とする監視システム。
【請求項５】
請求項4に記載の監視システムは、１つ以上のルールが、人が救助を必要とするかどうかを判断するために感知された1つ以上の距離を使用する、
ことを特徴とする監視システム。
【請求項６】
請求項5に記載の監視システムは、監視装置が、1つ以上の導出されたパラメータを判断するために感知された１つ以上の距離を使用することを特徴とする。1つ以上の導出されたパラメータは、以下のうち少なくとも１つを含む：
人の存在；
人の位置；
人の動きの動線；
人の動きの速度；および
人の動きの加速；
１つ以上のルールは、人が救助を必要とするかどうかを決定するため、１つ以上の導出されたパラメータを使用する。
【請求項７】
請求項1〜6のいずれか記載の監視システムのセンサーデバイスは、以下を含む：
人の動きを感知するための動作検出デバイス；および
センサーデバイスに対する人物の距離を感知する距離感知デバイス。
【請求項８】
請求項7に記載の監視システムは、以下の状態でセンサーデバイスが動作することを特徴とする：
第１の状態として、前記動作検出デバイスはアクティブであり、距離検出デバイスは非アクティブである；および
第２の状態の状態として、距離感知デバイスが、第１の状態における人の動きを感知する動作検出デバイスに応答してアクティブとなる。
【請求項９】
請求項8に記載の監視システムにおいて、センサーデバイスが第２の状態で動作中に動作検出デバイスが一定期間動作を感知しなかった場合、センサーデバイスは、第２の状態から第１の状態に切り替わる、
ことを特徴とする監視システム。
【請求項１０】
請求項7〜9のいずれかに記載の監視システムにおいて、動作検出デバイスは、1つ以上の受動型赤外線センサーである、
ことを特徴とする監視システム。
【請求項１１】
請求項7〜10のいずれかに記載の監視システムにおいて、距離感知デバイスは、下記のうちの少なくとも１つである：
1つ以上の超音波センサー；
1つ以上の距離計センサー；
1つ以上の深度測定センサー；
1つ以上の3Dセンサー；
1つ以上の3Dスキャナ；および
１つ以上のイメージセンサー。
【請求項１２】
請求項1〜11のいずれかに記載の監視システムにおいて、センサーデバイスは、監視装置と無線通信するための通信デバイスを含む、
ことを特徴とする監視システム。
【請求項１３】
請求項12に記載の監視システムにおいて、監視装置は、RSSI（受信信号強度インジケータ）に基づき、センサーデバイスとの無線通信に使用するため通信周波数を決定する。そこで、決定された通信周波数は、無線通信によりセンサーデバイスへ転送される、
ことを特徴とする監視システム。
【請求項１４】
請求項1〜13のいずれかに記載の監視システムにおいて、センサーデバイスは、電気、電灯固定具にセンサーデバイスを結合するための結合デバイスを含む本体を含む、
ことを特徴とする監視システム。
【請求項１５】
請求項14に記載の監視システムにおいて、本体には、固定具の電気ソケットと電気的に通信する電気コネクタが含まれる。これにより、電灯に供給される電力の少なくとも一部は、センサーデバイスへの電力供給に使われる、
ことを特徴とする監視システム。
【請求項１６】
請求項15に記載の監視システムにおいて、電灯は、結合デバイスを用いてセンサーデバイスに結合させることができる。これにより、電灯は、電気コネクタと電気的通信状態にあることになる、
ことを特徴とする監視システム。
【請求項１７】
請求項1〜16のいずれか一項に記載の監視システムにおいて、センサーデバイスは、独立型のバッテリー駆動型デバイスである、
ことを特徴とする監視システム。
【請求項１８】
請求項1〜17のいずれかに記載の監視システムにおいて、センサーデバイスは、証明デバイスを含む、
ことを特徴とする監視システム。
【請求項１９】
請求項18に記載の監視システムにおいて、監視システムには、照明デバイスが感知した環境光が閾値以下であることに反応してアクティブとなる、環境光を感知する光センサーが含まれる、
ことを特徴とする監視システム。
【請求項２０】
請求項1〜19のいずれか一項に記載の監視システムにおいて、センサーデバイスは、救助が必要な時に監視装置に送信され、1つ以上のデバイスに転送される音声信号を取り込むマイクロフォンを含む、
ことを特徴とする監視システム。
【請求項２１】
請求項19に記載の監視システムにおいて、センサーデバイスはスピーカを含む、
ことを特徴とする監視システム。
【請求項２２】
請求項1〜21のいずれかに記載の監視システムにおいて、センサーデバイスには、温度センサーが含まれる。センサーデバイスが監視装置から受信するデータは、温度センサーにより生成された1つ以上の信号を示し、監視装置は、温度センサーによって生成された1つ以上の信号を用いて人が救助を必要としているかを判断する、
ことを特徴とする監視システム。
【請求項２３】
前記請求項1〜22のいずれかに記載の監視システムにおいて、センサーデバイスは、以下の一部であるか少なくとも１つを含む：
煙センサー；および
ガスセンサー。
【請求項２４】
請求項1〜23のいずれかに記載の監視システムにおいて、監視装置により監視する１つ以上のルールが設定可能である、
ことを特徴とする監視システム。
【請求項２５】
請求項24に記載の監視システムにおいて、監視装置は、ポータルをホストするサーバ処理システムとデータ通信状態にある。ポータルを介したインプットにより、１つ以上のルールの構成が可能であり、1つ以上のルールを構成するために、監視装置はサーバ処理システムから構成データを受信する、
ことを特徴とする監視システム。
【請求項２６】
請求項24または25に記載の監視システムにおいて、監視システムは、複数のセンサーデバイスを含む。複数のセンサーデバイスの少なくとも一部との間の距離を決定することにより、人が救助を必要としているかを判断するために1つ以上のルールが構成される、
ことを特徴とする監視システム。
【請求項２７】
請求項1〜26のいずれか一項に記載の監視システムにおいて、監視システムは、以下の少なくとも１つを判断する：
人の転倒；
一定期間人が動けなくなっていること；
当人が障害を患っていること；および
当人へ害がおよぶ危険性が高まっていること。
【請求項２８】
以下を含むシステム：
請求項1〜27のいずれかに記載の監視装置；および
監視装置とデータ通信状態にあるサーバ処理システム。サーバ処理システムは、監視装置からデータを受信する。
【請求項２９】
請求項28に記載のシステムにおいて、サーバ処理システムには過去の履歴データが保存されており、当人が障害に苦しんでいたり、当人に危害がおよぶリスクが高まっていることを判断するために、履歴データを使用するよう構成されている、
ことを特徴とするシステム。
【請求項３０】
請求項29に記載のシステムにおいて、サーバ処理システムは、以下の少なくとも一つを判断するために履歴データを使用する：
障害や危害がおよぶリスクの増加を示す、一定期間に及ぶ当人の平均走行速度の低下；および
障害や危害がおよぶリスクの増加を示す、一定期間に及ぶ当人の動作のパターン。
【請求項３１】
請求項28または29に記載のシステムにおいて、サーバ処理システムは、ポータルをホストし、監視装置で監視する１つ以上のルールをユーザが設定できるようになっている。受信したユーザの入力に基づく構成データが、監視システムに転送され、監視システムの構成を行う、
ことを特徴とするシステム。
【請求項３２】
請求項28から31までのいずれかに記載のシステムにおいて、システムは、複数のセンサーデバイスを含む。複数のセンサーデバイスの少なくとも一部との間の距離を決定することにより、人が救助を必要としているかを判断するために1つ以上のルールが構成される、
ことを特徴とするシステム。
【請求項３３】
監視システムのためのセンサーデバイス、センサーデバイスには以下が含まれる：
センサーデバイスをエリアに取付けるための台；
エリア内の人の1つ以上のパラメータを感知するための1つ以上のセンサー；および
監視装置に、1つ以上のセンサー信号を示すデータを転送するための、通信デバイス。
【請求項３４】
請求項33に記載のセンサーデバイスにおいて、センサーデバイスはエリア内の人の動きを感知する、
ことを特徴とするセンサーデバイス。
【請求項３５】
請求項33〜34に記載のセンサーデバイスにおいて、センサーデバイスは、センサーデバイスから人物までの1つ以上の距離を感知する、
ことを特徴とするセンサーデバイス。
【請求項３６】
請求項33〜35のいずれかに記載のセンサーデバイスにおいて、センサーデバイスは以下を含む：
人の動きを感知するための動作検出デバイス；および
センサーデバイスに対する人物の距離を感知する距離感知デバイス。
【請求項３７】
請求項36に記載のセンサーデバイスにおいて、センサーデバイスは以下の状態で動作する：
第１の状態として、前記動作検出デバイスはアクティブであり、距離検出デバイスは非アクティブである；および
第２の状態の状態として、距離感知デバイスが、第１の状態における人の動きを感知する動作検出デバイスに応答してアクティブとなる。
【請求項３８】
請求項37に記載のセンサーデバイスにおいて、センサーデバイスが第２の状態で動作中に、動作検出デバイスが一定期間動作を感知しなかった場合、センサーデバイスは、第２の状態から第１の状態に切り替わる、
ことを特徴とするセンサーデバイス。
【請求項３９】
請求項36〜38のいずれかに記載のセンサーデバイスにおいて、動作検出デバイスは、1つ以上の受動型赤外線センサーである、
ことを特徴とするセンサーデバイス。
【請求項４０】
請求項36から39のいずれか一項に記載のセンサーデバイスにおいて、距離感知デバイスは、下記のうちの少なくとも１つである：
1つ以上の超音波センサー；
1つ以上の距離計センサー；
1つ以上の深度測定センサー；
１つ以上の3Dセンサー；
1つ以上の3Dスキャナ；および
１つ以上のイメージセンサー。
【請求項４１】
請求項33から40のいずれかに記載のセンサーデバイスにおいて、通信デバイスは監視装置と無線通信する、
ことを特徴とするセンサーデバイス。
【請求項４２】
請求項33から41のいずれかに記載のセンサーデバイスにおいて、センサーデバイスは、電気、電灯固定具にセンサーデバイスを結合するための結合デバイスを含む本体を含む、
ことを特徴とするセンサーデバイス。
【請求項４３】
請求項42に記載のセンサーデバイスにおいて、本体には、固定具の電気ソケットと電気的に通信する電気コネクタが含まれる。これにより、電灯に供給される電力の少なくとも一部は、センサーデバイスへの電力供給に使われる、
ことを特徴とするセンサーデバイス。
【請求項４４】
請求項43に記載のセンサーデバイスにおいて、電灯は、結合デバイスを用いてセンサーデバイスに結合させることができる。これにより電灯は、電気コネクタと電気的通信状態にあることになる、
ことを特徴とするセンサーデバイス。
【請求項４５】
請求項33から44のいずれかに記載のセンサーデバイスにおいて、センサーデバイスは、独立型のバッテリー駆動型デバイスである、
ことを特徴とするセンサーデバイス。
【請求項４６】
請求項33〜45のいずれかに記載のセンサーデバイスにおいて、センサーデバイスは、照明デバイスを含む、
ことを特徴とするセンサーデバイス。
【請求項４７】
請求項46に記載のセンサーデバイスにおいて、監視システムには、照明デバイスが感知した環境光が閾値以下であることに反応してアクティブとなる、環境光を感知する光センサーが含まれる、
ことを特徴とするセンサーデバイス。
【請求項４８】
請求項33から47のいずれかに記載のセンサーデバイスにおいて、センサーデバイスは、救助が必要な時に監視装置に送信され、1つ以上のデバイスに転送される音声信号を取り込むマイクロフォンを含む、
ことを特徴とするセンサーデバイス。
【請求項４９】
請求項33〜48のいずれかに記載のセンサーデバイスにおいて、センサーデバイスは温度センサーを含み、監視装置に送信されるデータは、温度センサーによって生成された1つ以上の信号を示す、
ことを特徴とするセンサーデバイス。
【請求項５０】
前記請求項33〜49のいずれかに記載の監視システムにおいて、センサーデバイスは、以下の一部であるか少なくとも１つを含む：
煙センサー；および
ガスセンサー。
【請求項５１】
エリア内の人が救助を必要とするかどうかを監視する監視装置で、監視装置は、以下の目的で構成された処理システムを含む：
エリアに取り付けられたセンサーデバイスから、1つ以上のセンサー信号を示すデータを受信すること；
メモリーに格納された1つ以上のルールが満たされるかどうかを決定するために、センサーデバイスから受信するセンサー信号を監視すること；および
１つ以上のルールが充足されている場合、当人の救助を要請するため、1つ以上のデバイスと通信すること。
【請求項５２】
請求項51に記載の監視装置において、センサーデバイスから受信したデータは、エリア内の人物の動きを示す。処理システムによって監視される１つ以上のルールは、感知された人の動きの存在または不存在を使用し、人が救助を必要とするかどうかを判断する、
ことを特徴とする監視装置。
【請求項５３】
請求項51または52に記載の監視装置において、センサーデバイスから受信したデータは、人物との1つ以上の地点との距離を示す。処理システムによって監視される１つ以上のルールは、感知された１つ以上の地点との距離を使用し、当人が救助を必要としているかを判断する、
ことを特徴とする監視装置。
【請求項５４】
請求項53に記載の監視装置において、１つ以上のルールは、人が救助を必要とするかどうかを判断するために感知された1つ以上の距離を使用する、
ことを特徴とする監視装置。
【請求項５５】
請求項51〜54のいずれかに記載の監視装置において、監視装置は、センサーデバイスと無線通信するための通信デバイスを含む、
ことを特徴とする監視装置。
【請求項５６】
請求項55に記載の監視装置において、監視装置は、RSSI（受信信号強度インジケータ）に基づき、センサーデバイスとの無線通信に使用するため通信周波数を決定する。そこで、決定された通信周波数は、無線通信によりセンサーデバイスへ転送される、
ことを特徴とする監視装置。
【請求項５７】
請求項51〜56のいずれか一項に記載の監視装置において、センサーデバイスには、温度センサーが含まれる。センサーデバイスから受信するデータは、温度センサーにより生成された1つ以上の信号を示し、監視装置は、温度センサーによって生成された1つ以上の信号を用いて人が救助を必要としているかを判断する、
ことを特徴とする監視装置。
【請求項５８】
請求項51〜57のいずれかに記載の監視装置において、監視装置により監視する１つ以上のルールが構成可能である、
ことを特徴とする監視装置。
【請求項５９】
請求項58に記載の監視装置において、監視装置は、1つ以上のルールを構成するサーバ処理システムから構成データを受信する、
ことを特徴とする監視装置。
【請求項６０】
請求項58または59に記載の監視装置において、監視装置は、エリアに取り付けられた複数のセンサーデバイスと通信状態にある。人が救助を必要としているかを判断するため、複数のセンサーデバイスの少なくとも一部と当人との間の距離の特定に使用するため、１つ以上のルールが構成されている、
ことを特徴とする監視装置。
【請求項６１】
請求項51から60のいずれかに記載の監視装置において、監視装置は、以下の少なくとも１つを判断する：
人の転倒；
一定期間人が動けなくなっていること；
当人が障害を患っていること；および
当人へ害がおよぶ危険性が高まっていること。
【請求項６２】
以下を含むキット：
請求項33から50のいずれかに記載のセンサーデバイス；および
請求項51から61のいずれかに記載の監視装置。
【請求項６３】
以下を含むエリア内の人物を監視する方法：
エリア内の人物の１つ以上のパラメータを、エリア内に取り付けられるセンサーデバイスを用いて検知すること；
1つ以上のルールが満たされるかどうかを決定するため、センサーデバイスから受信するセンサー信号を示すデータを監視すること；および
１つ以上のルールを充足する場合、人命救助を要求するために１つ以上のデバイスと通信すること。
【請求項６４】
以下を含む、監視装置を用いてエリア内の人を監視する方法：
エリアに取り付けられたセンサーデバイスから、1つ以上のセンサー信号を示すデータを監視装置内で受信すること；
1つ以上のルールが満たされるかどうかを決定するため、センサーデバイスから受信するセンサー信号を、監視装置内で監視すること；および
１つ以上のルールを充足する場合、人命救助を要求するために１つ以上のデバイスと通信すること。
【請求項６５】
エリア内の人を監視するための処理システムを含む監視装置を構成するためのコンピュータプログラム製品において、コンピュータプログラム製品は、以下の処理システムを構成する：
エリアに取り付けられたセンサーデバイスから、１つ以上のセンサー信号を示すデータを監視装置内で受信する；
1つ以上のルールが満たされるかどうかを決定するため、センサーデバイスから受信するセンサー信号を、監視装置内で監視すること；および
１つ以上のルールが充足されている場合、当人の救助を要請するため、1つ以上のデバイスと通信すること。
【請求項６６】
以下を含む、エリア内の人物を監視するための装置：
エリアにデバイスを取り付けるための装着型本体；
エリア内の人物の1つ以上のパラメータを感知するために本体に少なくとも一部は格納されているセンサーデバイス；および
少なくとも一部は本体に格納されているセンサーデバイスと通信する監視装置であり、当人が救助を必要とするかを判断するため1つ以上のパラメータを示すセンサー信号を監視するもの。
【発明の詳細な説明】
【技術分野】
【０００１】
[関連出願の相互参照]
本出願は、オーストラリア仮特許出願第2011904740号に基づく優先権を主張し、同仮出願の記載内容を本出願に援用する。
【０００２】
本発明は、エリア内の人間を監視するためのシステム、方法、監視装置、監視システム、センサーデバイス、キット、デバイスおよび／またはコンピュータプログラム製品に関するものである。
【背景技術】
【０００３】
本明細書における引用情報（または先行技術文献からの抜粋情報）または既知の事項は、当該先行技術文献（または先行技術文献からの抜粋情報）または既知の事項が本明細書に関連する分野の共通の一般認識の一部を構成するものという認識、承認またはいかなる形式の示唆を示すものではなく、そのように解釈されるべきではない。
【０００４】
エリア内の人が救助を必要とすることを検知するために使用される監視システムは多数存在する。例えば、人が落下したまたは救助を必要とする等なんらかの状態で苦しんでいることを検知するためのシステムは多数存在する。この種のシステムは、高齢者や衰弱状態にある人々に多く普及している。
【０００５】
既知のシステムは、人の特定の動きを感知する何らかの形態のセンサーを含む、被監視者により装着されるデバイスを利用している。センサーは、被監視者が受ける加速を感知する加速度計の形態をとる場合もある。このシステムの欠点は、被監視者が常にデバイスを装着していなければならないことである。被監視者がシャワーを浴びる際等にデバイスを外した場合、当人が救助を必要とする時にもデバイスは感知することができない。他の状況においても、被監視者がデバイスを再装着することを忘れている場合や、単にデバイスを装着することを嫌がる場合もある。したがって、このようなタイプのデバイスは、多くの欠点を有する。
【発明の概要】
【０００６】
第一の側面として、以下を含む監視システムが提供される。
【０００７】
エリア内の人を検知するためエリア内に取り付けられるセンサーデバイス；
以下の目的でセンサーデバイスと通信するための監視装置：
センサーデバイスからの１つ以上のセンサー信号を示すデータを受信する
こと；
１つ以上のルールを充足するかを決定するためにセンサー信号を監視する
こと；および
１つ以上のルールを充足する場合、人命救助を要請するために１つ以上のデ
バイスと通信すること。
【０００８】
特定の実施形態において、センサーデバイスは、エリア内の人の動きを感知する。
【０００９】
特定の実施形態において、人の動きまたは動きがないという状況の存在を感知し、人が救助を必要とするかを判断するために1つ以上のルールを使用する。
【００１０】
特定の実施形態において、センサーデバイスは、人とセンサーデバイスとの間の１つ以上の距離を感知する。
【００１１】
特定の実施形態において、1つ以上のルールは、人が救助を必要とするかどうかを決定するため、1つ以上の感知された距離を使用する。
【００１２】
特定の実施形態において、１つ以上の導出されたパラメータを決定するため、監視装置は、１つ以上の感知された距離を使用する。同パラメータは、少なくとも下記の１つを含む：
人の存在；
人の位置；
人の動きの動線；
人の動きの速度；および
人の動きの加速；
１つ以上のルールは、人が救助を必要とするかどうかを決定するため、１つ以上の導出されたパラメータを使用する。
【００１３】
特定の実施形態において、センサーデバイスは、下記を含む：
人の動きを感知するための動作検出デバイス；および
センサーデバイスに対する人物の距離を感知する距離感知デバイス。
【００１４】
特定の実施形態において、センサーデバイスは、以下において動作する：
第１の状態として、前記動作検出デバイスはアクティブであり、距離検出デバイスは非アクティブである；および
第２の状態として、距離感知デバイスが、第１の状態における人の動きを感知する動作検出デバイスに応答してアクティブとなる。
【００１５】
特定の実施形態において、センサーデバイスが第2の状態で動作している間に、動作検出デバイスが一定期間動作を感知に失敗した場合、センサーデバイスは、第２の状態から第１の状態に切り替わる。
【００１６】
特定の実施形態において、動作検出デバイスは、１つ以上の受動型赤外線センサーである。
【００１７】
特定の実施形態において、距離検知デバイスの少なくとも以下のうちの１つである：
1つ以上の超音波センサー；
1つ以上の距離計センサー；
1つ以上の深度測定センサー；
1つ以上の3Dセンサー；
1つ以上の3Dスキャナ；および
１つ以上のイメージセンサー。
【００１８】
特定の実施形態において、センサーデバイスは、監視装置と無線通信するための通信デバイスを含む。
【００１９】
特定の実施形態において、監視装置は、RSSI（受信信号強度インジケータ）に基づき、センサーデバイスとの無線通信に使用するため通信周波数を決定し、そこで決定された通信周波数は、無線通信によりセンサーデバイスへ転送される。
【００２０】
特定の実施形態において、センサーデバイスには、センサーデバイスを電灯固定具と結合するための結合デバイスを含む本体が含まれる。
【００２１】
特定の実施形態において、本体には、固定具の電気ソケットと電気的に通信する電気コネクタが含まれる。これにより、電灯に供給される電力の少なくとも一部は、センサーデバイスへの電力供給に使われる。
【００２２】
特定の実施形態において、電灯は、結合デバイスを用いてセンサーデバイスに結合させることができる。これにより電灯は、電気コネクタと電気的通信状態にあることになる。
【００２３】
特定の実施形態において、センサーデバイスは、独立型のバッテリー駆動型デバイスである。
【００２４】
特定の実施形態において、センサーデバイスは、照明デバイスを含む。
【００２５】
特定の実施形態において、監視システムには、照明デバイスが感知した周辺光が閾値以下であることに反応してアクティブとなる、周辺光を感知する光センサーが含まれる。
【００２６】
特定の実施形態において、センサーデバイスは、救助が必要な場合に、監視装置および1つ以上のデバイスに転送されるオーディオ信号を捕えるためのマイクを含む。
【００２７】
特定の実施形態において、センサーデバイスは、スピーカを備えている。
【００２８】
特定の実施形態において、センサーデバイスには、温度センサーが含まれる。センサーデバイスが監視装置から受信するデータは、温度センサーにより生成された1つ以上の信号を示し、監視装置は、温度センサーによって生成された1つ以上の信号を用いて人が救助を必要としているかを判断する。
【００２９】
特定の実施形態において、センサーデバイスは、以下の一部であるか少なくとも一方を含む：
煙センサー；および
ガスセンサー。
【００３０】
特定の実施形態において、監視装置によって監視する１つ以上のルールが構成可能である。
【００３１】
特定の実施形態において、監視装置は、ポータルをホストするサーバ処理システムとデータ通信状態にある。ポータルを介したインプットにより、１つ以上のルールの構成が可能であり、1つ以上のルールを構成するために、監視装置はサーバー処理システムから構成データを受信する。
【００３２】
特定の実施形態において、監視システムは、複数のセンサーデバイスを含む。複数のセンサーデバイスの少なくとも一部との間の距離を決定することにより、人が救助を必要としているかを判断するために1つ以上のルールが構成される。
【００３３】
特定の実施形態において、監視システムは、以下の少なくとも一つを判断する：
人の転倒；
一定期間人が動けなくなっていること；
当人が障害を患っていること；および
当人へ害がおよぶ危険性が高まっていること。
【００３４】
第２の側面では、以下を含むシステムが提供される：
第１の側面に係る監視装置；および
監視装置とデータ通信状態にあるサーバ処理システムであり、サーバ処理システムは、監視装置からデータを受信する。
【００３５】
特定の実施形態では、サーバ処理システムには過去の履歴データが保存されており、当人が苦しんでいたり、当人に危害がおよぶリスクが高まっていることを判断するために、履歴データを使用するよう構成されている。
【００３６】
特定の実施形態において、サーバ処理システムは、以下の少なくとも１つを判断するために履歴データを使用する：
障害や危害がおよぶリスクの増加を示す、当人の一定期間に及ぶ平均走行速度の低下；および
障害や危害がおよぶリスクの増加を示す、当人の一定期間に及ぶ動作のパターン。
【００３７】
特定の実施形態では、サーバ処理システムは、ポータルをホストし、監視装置で監視する１つ以上のルールをユーザが設定できるようになっている。受信したユーザの入力に基づく構成データが、監視システムに転送され、監視システムの構成を行う。
【００３８】
特定の実施形態において、システムには複数のセンサーデバイスが含まれる。人が救助を必要としているかを判断するため、複数のセンサーデバイスの少なくとも一部との間の距離の規定値に使用するための１つ以上のルールが構成されている。
【００３９】
第３の側面において、監視システムにセンサーデバイスが備えられている。センサーデバイスには、以下が含まれる：
センサーデバイスをエリアに取付けるための台；
エリア内の人の1つ以上のパラメータを感知するための1つ以上のセンサー；および
監視装置に、1つ以上のセンサー信号を示すデータを転送するための通信デバイス。
【００４０】
特定の実施形態において、センサーデバイスは、エリア内の人の動きを感知する。
【００４１】
特定の実施形態において、センサーデバイスは、人とセンサーデバイスとの１つ以上の距離を感知する。
【００４２】
特定の実施形態において、センサーデバイスは、下記を含む：
人の動きを感知するための動作検出デバイス；および
センサーデバイスに対する人物の距離を感知する距離感知デバイス。
【００４３】
特定の実施形態では、センサーデバイスは、以下において動作する：
第１の状態として、前記動作検出デバイスはアクティブであり、距離検出デバイスは非アクティブである；および
第２の状態として、距離感知デバイスが、第１の状態における人の動きを感知する動作検出デバイスに応答してアクティブとなる。
【００４４】
特定の実施形態において、動作検出デバイスが、センサーデバイスが第2の状態で動作している間に、一定期間動作を感知に失敗した場合、センサーデバイスは、第２の状態から第１の状態に切り替わる。
【００４５】
特定の実施形態において、動作検出デバイスは、１つ以上の受動型赤外線センサーである。
【００４６】
特定の実施形態において、距離検知デバイスの少なくとも以下のうちの１つである：
1つ以上の超音波センサー；
1つ以上の距離計センサー；
1つ以上の深度測定センサー；
１つ以上の3Dセンサー；
1つ以上の3Dスキャナ；および
１つ以上のイメージセンサー。
【００４７】
特定の実施形態では、通信デバイスは、監視装置と無線通信を行う。
【００４８】
特定の実施形態において、センサーデバイスには、センサーデバイスを電灯固定具と結合するための結合デバイスを含む本体が含まれる。
【００４９】
特定の実施形態において、本体には、固定具の電気ソケットと電気的に通信する電気コネクタが含まれる。これにより、電灯に供給される電力の、少なくとも一部は、センサーデバイスへの電力供給に使われる。
【００５０】
特定の実施形態において、電灯は、結合デバイスを用いてセンサーデバイスに結合させることができる。これにより、電灯は、電気コネクタと電気的通信状態にあることになる。
【００５１】
特定の実施形態において、センサーデバイスは、独立型のバッテリー駆動型デバイスである。
【００５２】
特定の実施形態において、センサーデバイスは、照明デバイスを含む。
【００５３】
特定の実施形態において、監視システムには、照明デバイスが感知した周辺光が閾値以下であることに反応してアクティブとなる、周辺光を感知する光センサーが含まれる。
【００５４】
特定の実施形態において、センサーデバイスは、救助が必要な場合に監視装置および1つ以上のデバイスに転送されるオーディオ信号を捕えるためのマイクを含む。
【００５５】
特定の実施形態において、センサーデバイスは、温度センサーを含む。温度センサーによって生成された1つ以上の信号を示すデータは、監視装置に転送される。
【００５６】
特定の実施形態において、センサーデバイスは、以下の一部であるか少なくとも一方を含む：
煙センサー；および
ガスセンサー。
【００５７】
第４の側面として、エリア内の人が救助を必要とするかどうかを監視する監視装置があり、監視装置は、以下の目的で構成された処理システムを含む：
エリアに取り付けられたセンサーデバイスから、1つ以上のセンサー信号を示すデータを受信すること；
メモリーに格納された1つ以上のルールが満たされるかどうかを決定するために、センサーデバイスから受信するセンサー信号を監視すること；および
１つ以上のルールが充足されている場合、当人の救助を要請するため、1つ以上のデバイスと通信すること。
【００５８】
特定の実施形態において、センサーデバイスから受信したデータは、エリア内の人物の動きを示す。処理システムによって監視される１つ以上のルールは、感知された人の動きの存在または不存在を使用し、人が救助を必要とするかどうかを判断する。
【００５９】
特定の実施形態において、センサーデバイスから受信したデータは、人物との1つ以上の地点との距離を示す。処理システムによって監視される１つ以上のルールは、感知された１つ以上の地点との距離を使用し、当人が救助を必要としているかを判断する。
【００６０】
特定の実施形態において、1つ以上のルールは、一定期間における当人の距離上の移動を使用して、当人が救助を必要としているかを判断する。
【００６１】
特定の実施形態において監視装置は、センサーデバイスと無線通信するための通信デバイスを含む。
【００６２】
特定の実施形態において監視装置は、RSSI（受信信号強度インジケータ）に基づき、センサーデバイスとの無線通信に使用するための通信周波数を決定する。そこで決定された通信周波数は、無線通信によりセンサーデバイスへ転送される。
【００６３】
特定の実施形態においてセンサーデバイスには、温度センサーが含まれる。センサーデバイスから受信するデータは、温度センサーにより生成された1つ以上の信号を示し、監視装置は、温度センサーによって生成された1つ以上の信号を用いて人が救助を必要としているかを判断する。
【００６４】
特定の実施形態では、監視装置によって監視される一つ以上のルールが設定可能である。
【００６５】
特定の実施形態では、監視装置は、１つ以上のルールを設定するため、サーバ処理システムから構成データを受信する。
【００６６】
特定の実施形態において、監視装置は、エリアに取り付けられた複数のセンサーデバイスと通信状態にある。人が救助を必要としているかを判断するため、複数のセンサーデバイスの少なくとも一部と当人との間の距離の特定に使用するため、１つ以上のルールが構成されている。
【００６７】
特定の実施形態において、監視装置は、以下の少なくとも１つを判断する。
【００６８】
人の転倒；
一定期間人が動けなくなっていること；
障害を患っていること、または障害の危険が高まっていること；および
当人へ害がおよぶ危険性が高まっていること。
【００６９】
第５の側面として、以下を含むキットが備わっている：
第３の側面に係るセンサーデバイス；および
第４の側面に係る監視装置。
【００７０】
第６の側面として、エリア内で人を監視する方法（以下を含む）が提供される：
エリア内の人物の１つ以上のパラメーターを、エリア内に取り付けられるセンサーデバイスを用いて検知すること；
1つ以上のルールが満たされるかどうかを決定するため、センサーデバイスから受信するセンサー信号を示すデータを監視すること；および
１つ以上のルールを充足する場合、人命救助を要求するために１つ以上のデバイスと通信すること。
【００７１】
第７の側面において、監視装置を用いて、エリア内の人を監視する方法（以下を含む）が提供される。
【００７２】
エリアに取り付けられたセンサーデバイスから、1つ以上のセンサー信号を示すデータを監視装置内で受信すること；
1つ以上のルールが満たされるかどうかを決定するため、センサーデバイスから受信するセンサー信号を、監視装置内で監視すること；および
１つ以上のルールを充足する場合、人命救助を要求するために１つ以上のデバイスと通信すること。
【００７３】
第８の側面において、エリア内の人を監視するための処理システムを含む監視装置を構成するためのコンピュータプログラム製品が提供される。これにおいて、コンピュータプログラム製品は、以下の処理システムを構成する：
エリアに取り付けられたセンサーデバイスから、１つ以上のセンサー信号を示すデータを監視装置内で受信する；
1つ以上のルールが満たされるかどうかを決定するため、センサーデバイスから受信するセンサー信号を、監視装置内で監視すること；および
１つ以上のルールが充足されている場合、当人の救助を要請するため、1つ以上のデバイスと通信すること。
【００７４】
第９の側面において、エリア内の人を監視するための装置（以下を含む）が提供される：
エリアにデバイスを取り付けるための装着型本体；
エリア内の人物の1つ以上のパラメータを感知するために本体に少なくとも一部は格納されているセンサーデバイス；および
少なくとも一部は本体に格納されているセンサーデバイスと通信する監視装置であり、当人が救助を必要とするかを判断するため1つ以上のパラメータを示すセンサー信号を監視するもの。
【００７５】
別の側面として、以下を含む監視システムが提供される：
エリア内の人物のパラメータを感知するためにエリアに取り付けられたセンサー；および
以下の目的でセンサーと通信するための監視装置：
センサーからのセンサー信号を受信すること；
１つ以上のルールを充足するかを決定するためにセンサー信号を監視すること；および
１つ以上のルールを充足する場合、人命救助を要求するために１つ以上のデバイスと通信すること。
【００７６】
別の側面として、エリア内の人物を監視する方法（以下を含む）が提供される：
エリアに取り付けられたセンサーを使用して、エリア内の人物のパラメータを検出すること；および
1つ以上のルールが満たされるかどうかを判断するため、センサーと通信状態にある監視装置を用いて、センサーから受信するセンサー信号を監視すること；および
１つ以上のルールを充足する場合、人命救助を要求するために１つ以上のデバイスと通信すること。
【００７７】
別の側面として、監視装置を用いてエリア内の人物を監視する方法（以下を含む）が提供される：
エリアに取り付けられたセンサーから、エリア内の人物のパラメータを示す1つ以上のセンサー信号を、監視装置内で受信すること；
1つ以上のルールが満たされるかどうかを決定するため、センサーから受信するセンサー信号を、監視装置内で監視すること；および
１つ以上のルールを充足する場合、人命救助を要求するために１つ以上のデバイスと通信すること。
【００７８】
別の側面において、エリア内の人を監視するための処理システムを構成するコンピュータプログラム製品が提供される。これにおいて、コンピュータプログラム製品は、以下の処理システムを構成する：
エリアに取り付けられたセンサーから、エリア内の人物のパラメータを示す1つ以上のセンサー信号を受信すること；
1つ以上のルールが満たされるかどうかを決定するため、センサーから受信するセンサー信号を監視すること；および
１つ以上のルールが充足されている場合、当人の救助を要請するため、1つ以上のデバイスと通信すること。
【００７９】
別の側面において、エリア内の人を監視するための装置（以下を含む）が提供される：
エリアにデバイスを取り付けるための装着型本体；
エリア内の人物の1つ以上のパラメータを感知するために本体に少なくとも一部は収容されたセンサー；および
少なくとも一部は本体に格納されているセンサーと通信する監視装置であり、当人が救助を必要とするかを判断するためのパラメータを示すセンサー信号を監視するもの。
【００８０】
他の実施形態については、実施例の記載全体を通して説明する
下記の説明により明らかとなる実施例は、添付図面に関連して説明される少なくとも好ましい一例ではあるが非限定的実施形態の例示としてのみ記載されている。
【図面の簡単な説明】
【００８１】
【図１Ａ】図1Aは、人がエリア内で立っている場合のエリア内の人物を監視するための監視システム例の概略図である。
【図１Ｂ】図1Bは、人がエリア内で倒れた場合の図1Aの監視システムの概略図である。
【図１Ｃ】図1Cは、人がエリア内で立っている場合のエリア内の人物を監視するための監視システムの別の例を示す概略図である。
【図１Ｄ】図1Dは、人がエリア内で倒れた場合の図1Cの監視システムの概略図である。
【図２】図2は、エリア内の人を監視する方法の一例を示すフローチャートである。
【図３Ａ】図3Aは、処理システム例のブロック図である；
【図３Ｂ】図3Bは、エリア内の人を監視するための図3Aの処理システムを用いた図1Aの監視システムを含むシステム例のブロック図である。
【図３Ｃ】図3Cは、エリア内の人を監視するための図3Aの処理システムを用いた図1Cの監視システムを含む別のシステム例のブロック図である。
【図４】図4は、エリア内の人を監視するより詳細な方法の例を示す別のフローチャートである。
【図５Ａ】図5Aは、エリア内の人を検知するためのセンサーを含むセンサーデバイスの一例を示す図である。
【図５Ｂ】図5Bは、エリア内の人を検知するためのセンサーを含むセンサーデバイスの一例を示す図である。
【図５Ｃ】図5Cは、電灯およびエリア内の人を感知するための1つ以上のセンサーを含むセンサーデバイスの一例を示す図である。
【図６】図6は、エリア内の人を検知するための電灯および1つ以上のセンサーを含むセンサーデバイスの別の例を示す図である。
【図７Ａ】図7Aは、エリア内の人を検知するための電灯および1つ以上のセンサーを含むセンサーデバイスの別の例を示す図である。
【図７Ｂ】図7Bは、エリア内の人を検知するための電灯および1つ以上のセンサーを含むセンサーデバイスの別の例を示す図である。
【図８】図8は、固定具にセンサーデバイスを結合するための付属器具の一例を示す透視図である。
【図９】図9は、エリア内の人を感知するために使用されるセンサーデバイスの付属器具の一例を示す側面図である。
【図１０】図10は、センサーデバイスの一例を示す透視図である。
【図１１】図11は、センサーデバイスの一例を示すブロック図である。および
【図１２】図12は、監視装置の一例を示す透視図である。
【発明を実施するための形態】
【００８２】
以下の方法は、あくまで一例であり、望ましい実施形態または実施形態の主題に関するより正確な理解を提供するために記載するものである。図面における実施例の特徴を説明するために記載されている参照番号は、図面全体を通じて、同様の部分には同様の参照番号が使われている。
【００８３】
図1Aには、エリア2000内の人物1000を監視するための監視システム100の一例の概略が示されている。具体的には、監視システム100は、センサーデバイス110および監視装置120を含む。センサーデバイス110は、エリア2000に取り付けられ、エリア内の人物1000の1つ以上のパラメータを感知するように構成されている。監視装置120はセンサーデバイス110と通信状態にあり、センサーデバイス110からのセンサー信号を示すデータを受信するように構成されている。同装置は、1つ以上のルールが満たされるか否かを判断するためのセンサー信号を監視しており、１つ以上のルールが満たされた場合には、当人の救助要請のため、1つ以上のデバイス330、340、350と通信する。
【００８４】
センサーデバイス110は、個人が着用するものではなく、エリア2000内に取り付けられるものである。これにより、人物1000が救助を要するにも関わらずセンサーデバイスを着用していないという状況が軽減される。
【００８５】
図1Aおよび図1Bに示すように、装置105は、センサーデバイス110および監視装置120を含むものである。装置105は、エリアの天井面等の床面よりも高い位置にある場所に取り付けたり、照明器具等の高い位置にあるデバイスに結合することができる。デバイス105は、少なくとも部分的にセンサーデバイス110および監視装置120を格納するハウジングを含むことができる。しかしながら、図1Cおよび1Dに関連して以下に詳述する通り、監視装置120は、センサーデバイス110から離れた場所に配置することもできる。
【００８６】
図1C及び1Dには、エリア2000内の人物1000を監視するための監視システム100の別の例の概略図が示されている。具体的には、センサーデバイス110および監視装置120は、図1Aおよび1Bの総合設計に比べて互いに離れた場所に配置されている。センサーデバイス110は、エリア2000内に取り付ける形や、照明器具等の高い位置にあるデバイスに結合される形で、高い位置に取り付けることができる。監視装置120は、通電を確保するため、電力供給源に近い場所に配置することができる。上記の内容からわかる通り、監視装置120は、エリア内または近隣のどこでも便利な場所に配置することができる。ただし、無線通信が利用される場合は、監視装置120は、センサーデバイス110の無線通信圏内に配置される必要がある。センサーデバイス110は、監視装置120と無線通信状態にあることが望ましい。具体的には、センサーデバイス110は、無線監視装置120へ、1つ以上のセンサー信号を示すデータ115を転送する。下記に詳述する通り、監視装置120は、センサーデバイス110が特定の機能および/または構成を実行するために、センサーデバイス110にデータを転送することができる。
【００８７】
図1Aから1Dから分かる通り、監視システム100は、エリア2000内の複数のエリアに存在する人物1000を監視するため、エリア内のネットワーク109を構成するセンサーデバイス110を複数含む場合もある。ネットワーク109の近隣のセンサーデバイス110は、エリア2000内を効果的に監視するのに十分な距離を離して配置しても良い。上記から理解される通り、ネットワーク109は、１つ以上の装置105を含むことができる。
【００８８】
図2には、エリア2000内の人物1000を監視する方法200が示されている。具体的には、ステップ210において、方法200には、エリア2000に取り付けられたセンサーデバイス110を用いたエリア2000内の人物1000のパラメータの感知が含まれる。ステップ220において、方法200には、1つ以上のルールが満たされるかどうかを決定するためのセンサーデバイス110によって生成された監視装置120のセンサー信号を用いた監視が含まれる。ステップ230において、方法200には、1つ以上のルールが満たされた場合に人物1000の救助要請をするための1つ以上のデバイス330,340,350と通信する監視装置120が含まれる。
【００８９】
監視装置120は、処理システムの形態で提供されうる。これに関して、エリア2000内の人物1000を監視するための監視装置120を構成するためのコンピュータプログラム製品も提供され得ることになる。具体的には、コンピュータプログラム製品には、実行可能な命令が含まれる。同命令が実行された場合、1つ以上のルールが満たされるか否かを決定するためにセンサーデバイス110によって生成されるセンサー信号を監視する監視装置120を構成する。そして１つ以上が満たされた場合、1つ以上のデバイス330、340、350と通信し、当人の救助を要請する。
【００９０】
図3Aには、監視装置120として使用するのに適した処理システム300を表すブロック図が示されている。具体的には、処理システム300は、バス314を介して、メモリー311、キーボードやディスプレイ等の入出力デバイス312およびインターフェース313に接続されるプロセッサ310から形成される。上記から理解される通り、多様な処理システム300が監視装置120として使用されうる。処理システム300は、マイクロコントローラ、標準的な一般化されたコンピュータシステム、あるいはフィールド・プログラマブル・ゲート・アレイ (FGPA)などのカスタム処理装置でありうる。
【００９１】
監視装置120のプロセッサ310は、1つ以上のルールが満たされるかどうかを決定するためのセンサー信号を監視するため、メモリー311に格納されたソフトウェアを実行する。１つ以上のルールを満たしている場合には、監視装置120は、インターフェース313と1つ以上の中継ネットワークを介して、１つ以上のリモートデバイスである330、340、350と通信士、被監視者1000が救助を必要としていることを示す。
【００９２】
図3Bを参照には、エリア2000内の人物1000を監視するためのシステム10の第1の例を示すブロック図が示されている。図3Bに示されたシステム10は、センサーデバイス110および監視装置120を少なくとも部分的に格納する装置105に関連する。図3Bに示すように、システム10のコンポーネントの数は、インターフェース313を介して監視装置120と通信される。
【００９３】
具体的には、監視装置120のインターフェース313は、装置105のハウジング内に少なくとも部分的に格納され、センサーデバイス110と電気通信状態にある。各センサーデバイス110から監視装置120が受信するセンサー信号は、救助が必要かを判断するため、監視装置120によって処理される。１つの形態としては、センサーデバイス110には、1つ以上の超音波センサー、距離計、受動型赤外線センサー、深度測定カメラ、3Dスキャナ、１つ以上の3Dセンサー、イメージセンサーなどの1つ以上のセンサーを含むことができる。
【００９４】
インターフェース313は、1つ以上のリモートデバイスとの通信を可能にする通信モジュール325と電気通信することができる。監視装置120の通信モジュール325は、１つ以上のネットワーク320を介して、複数のリモート通信デバイス330、340、350への通信が可能である。例えば、電話回線を介して電話へ、携帯電話回線を介して携帯電話へ、ポケットベル回線を介してポケットベルへ、および/またはインターネットなどのLAN（ローカルエリアネットワーク）又はWAN（ワイドエリアネットワーク）などのコンピュータネットワークを介してコンピュータへといった形である。監視装置120は、1つ以上のルールが満たされたと判断した場合、１つ以上の通信媒体を介して、１つ以上の通信デバイスへ救助要請を送信することができる。通信モジュール325はまた、各装置105の監視装置120が、エリアのネットワーク109内の別の装置105の監視装置120と通信することも可能にする。
【００９５】
図3Bの監視装置120の通信モジュール325の通信は、監視装置120が、1つ以上のリモートデバイスと通信できるようにするため、無線通信の利用が好ましい。例えば、GPRS（汎用パケット無線サービス）、UMTS（ユニバーサル・モバイル・テレコミュニケーション・システム）、GSM（モバイル通信用グローバルシステム）、IEEE 802.15.4等が挙げられる。通信モジュール325は、様々な通信プロトコルを利用することができる。一例としては、デバイス間の通信を可能にするためにX10規格を利用することができる。しかしながら、デバイス間でデータを転送する有線通信メディアは、追加的または代替的に監視ユニット120に使用してもよいということになる。
【００９６】
図3Cには、図1Cおよび1Dに関連して説明した通り、監視装置120がセンサーデバイス110から離れた場所に配置されるシステム10の別の実施例が示されている。図3Cに示されるように、監視装置120の外部インターフェース313は、エリア2000の全体にわたって取り付けられた1つ以上のセンサーデバイス110と通信することができる。この特定の構成では、監視装置120は、１つ以上のセンサーデバイス110から複数のセンサー信号を示すデータを受信することができる。これは、各装置105が専用の監視装置120を含む図3Bのシステムとは対照的である。図3Cの監視装置120は、1つ以上のセンサーデバイス110から受信したデータによって示される複数のセンサー信号の処理を行うことができる。センサー信号を示すデータは、無線または有線の通信媒体を介して監視装置120によって受信されうる。この例については、上述の通りである。ある形態では、1つ以上のセンサーデバイス110および監視装置120との間の無線通信を可能にするため、WiFiまたはBluetoothを使用することができる。監視装置120の通信モジュール325は、監視装置120と１つ以上のセンサーデバイス110との間の双方向のデータ転送を可能にする。
【００９７】
図3Cに示されたシステム10の監視装置120は、エリア2000の表面に取り付けることができる。監視装置120の入力/出力デバイス312は、タッチパネル等のコントロールインターフェースの形で提供されうる。これにより、本質的な部分ではないが、ユーザは、システム10の動作を構成することができる。下記に詳述する通り、図3Bまたは3Cに示されるシステム10のいずれかの監視装置120は、サーバ処理システム等のリモートコンピュータを介して、追加的または代替的にリモートデバイスによって遠隔地から構成することができる。
【００９８】
図3B及び3Cに示されるシステム10の場合、各監視装置120は、メモリー内に複数のルールを保存することができる。同ルールは、当人が救助を必要とするかどうかを決定するため、監視装置120のプロセッサ311によって使用される。ルールは、1つ以上の閾値を使用し、監視装置120のプロセッサ311は、人物1000が救助を必要とするかどうかを決定するためのルールを表すソフトウェアを実行する。ユーザは、ルール及び閾値の両方を設定することができる。
【００９９】
ルールは、１つ以上のパラメータを収集するため、および人物1000が救助を必要とすることを示す異なる様々なイベントを検出するため、監視装置120によって適用されうる。
【０１００】
例えば、監視装置120は、既定義の時間的閾値にわたり、人がエリア内の特定のゾーンからいたりいなくなったりしているかを判断するルールを含むことができる。例えば、エリア内の寝室の外に位置するセンサーデバイス110が、監視装置120に、各センサーデバイス110が過去24時間内に受信したセンサー信号を示すデータを転送し、同データが転送されない場合は、監視装置120により救助が必要であると判断される。同様のルールは、風呂場、椅子、ベッドなどのエリア2000内の他の部屋、エリアまたは対象物に適用することができる。
【０１０１】
別の例としては、図1Bおよび1Dに示す通り、被監視者1000がエリア2000の床に横たわっているかどうかを判断するためのルールを、監視装置120がメモリー内に格納することもある。この特定のルールの場合、救助要請には、複数の閾値を満たす必要がある。具体的には、ルールには、被監視者1000の垂直方向の高さに関する第１の閾値、被監視者1000の垂直方向の高さが閾値を下回る時間の最大値（つまり、60秒）と関連して定義された第２の閾値を含むことができる。被監視者1000が時間的閾値の範囲内に立ちあがった場合には、ルールが満たされていないため、救助は不要ということになる。人物の特定の位置を示す特定の閾値（すなわち、立つ、しゃがむ、横たわる）は、監視装置120に保存され、救助を必要とする場合とそうでない場合を区別することができる。
【０１０２】
また別の例では、被監視者1000がエリア2000を出たかどうかを判断するルールを定義することができる。１つの形態としては、監視装置120は、被監視者1000のエリア2000の戸口への出入りがあったどうかを判断するためにネットワーク109から受信するセンサー信号を表すデータ115を利用することができる。例えば、戸口に隣接して取り付けられた1つ以上のセンサーデバイス110から監視装置120にセンサー信号を示すデータが転送されない場合、被監視者1000は戸口を通過してエリア2000の近隣エリアに移動したのではなく、エリア2000を出たのだということを、監視装置120が推測できる。１つの形態としては、被監視者1000がエリア2000を離れた場合に、監視装置120が救助要請を行うというルールを定義することができる。別の形態としては、被監視者1000がエリア2000に入るまでの期間を指定した時間的閾値もルールとして適用することができる。時間的な閾値を超過した場合は、ルールの両方のコンポーネントが満たされ、監視装置120が救助要請を行う。別の形態としては、被監視者1000が、夜間等の特定の時間帯に、エリア2000を出たら監視装置120が救助要請を行うという時間的閾値もルールとして適用することができる。
【０１０３】
他のバリエーションとしては、1つ以上のルールが満たされるかどうかを決定するために使用する被監視者1000に関連する多様な派生パラメータを判断するため、監視装置120が、センサー信号を表すデータ115を使用する。例えば、人、被監視者の移動の足跡、被監視者の速度、被監視者の加速があるかを判断するため、監視装置120は、特定期間にわたって感知された被監視者の垂直方向の高さを使用する。他のパラメータもまた、エリア内の被監視者の移動距離などのセンサー信号を示すデータ115を用いて判断することができる。従って、救助の要否を決定するため、監視装置120の1つ以上のルールを用いた異なるタイプの閾値が利用されうる。このようなデータは被監視者1000の運動習慣の傾向を判断するためにも使用できるものと理解される。
【０１０４】
ユーザはルールおよび閾値を構成することができるため、監視システム100は、被監視者に合わせてカスタマイズすることができる。上述のように、監視装置120には、同装置120のカスタマイズを可能にするコントロールインターフェースを含み、これによりユーザが、ルールと閾値を設定することができる。コントロールインターフェースを介して監視装置120のカスタムマイズには、認証を要する。例えば、監視装置120の動作をカスタマイズできるようにするためには、ユーザは、正しいユーザ名および/またはパスワードの入力が求められる。
【０１０５】
追加又は代替形態において、監視装置120は、離れた場所から構成することができる。具体的には、ユーザは、遠隔監視装置120と通信している遠隔処理システム360を介して、監視装置120を離れた場所から構成することができる。
【０１０６】
監視システム100の遠隔構成を可能にするための遠隔処理システム360は、インターネットなどのコンピュータネットワークを介してアクセス可能なウェブ・ポータルをホストするウェブサーバ360の形態で提供することができる。ユーザは、監視システム100の動作をカスタマイズするためにユーザ処理システムを介してウェブ・ポータルを利用することができる。監視システム100のユーザ構成を表す構成データは、監視装置120に転送することができ、構成データの少なくとも一部は、監視装置120を構成するため、メモリーに格納できる。１つの形態としては、ウェブサーバ360は監視装置120とデータ通信状態にある一方で、他の中継処理システムを、セキュリティなどの様々な理由により、ウェブサーバ360と監視装置120との間に配置できる。ユーザは、センサーデバイス110および監視装置120の動作の少なくとも１つを構成することが可能である。様々な実施例で上述した通り、監視装置120によって使用される１つ以上のルールおよび１つ以上の閾値は、遠隔処理システム360によって設定することができる。追加的または代替的に、センサーデバイス110の動作は遠隔処理システムを介して設定することができる。１つ以上のセンサーデバイス110の優先順位の設定、１つ以上のセンサーデバイスの検知周波数の設定、特定のセンサーデバイスのセンサーコンポーネントの設定等であり、これについては以下に詳述する。
【０１０７】
監視装置120のコントロールインターフェースも同様で、監視システム100のリモート構成を可能にするのには、ユーザ認証の要求が望ましい。これにより、ユーザは、ウェブポータルにログインするためにユーザ名および/またはパスワードの入力が必要となるものである。認証に成功すると、ユーザには、ウェブ・ポータルを介して、監視装置120の構成可能な多数のオプションが表示される。
【０１０８】
ウェブサーバ360には、システム10の動作および構成のために特定のデータを格納するデータベースの形での記憶デバイス365が含まれる。具体的には、データベース365には、救助の必要性を決定するために使用される1つ以上のルールおよび1つ以上の閾値を示す構成データが含まれる。構成データはまたエリア2000内のネットワーク109のレイアウトを示すものでもある。同データは、監視装置120により、人物1000がエリア2000の隣接部分に移動したか否か、救助を要する状況が発生したか否かを判断するために利用されうる。構成データは、監視システム100の１つ以上のセンサーデバイス110の設定も示す。
【０１０９】
特定の構成可能オプションを入力し、データベース365に格納すれば、ウェブサーバ360は、外部インターフェース313を介して監視装置120に構成データを転送することができる。構成データに監視装置120用の1つ以上の設定が含まれる場合、監視装置120は、ウェブサーバ360から受信した構成データの少なくとも一部に従い再構成される。構成データの少なくとも一部は、1つ以上のセンサーデバイス110用の1つ以上の設定を含み、監視装置120は、少なくとも一部の構成データを、該当するセンサーデバイス110（複数可）に転送する。これにより、各センサーデバイス110（複数可）は、監視装置120から受信した構成データに従い再構成される。
【０１１０】
ウェブポータルおよびコントロールインターフェースと相互作用するユーザによって定義された構成データは、同期されることが望ましい。具体的には、構成データが、ウェブポータルの使用を介してデータベース365内で変更されるか、コントロールインターフェースの使用を介してメモリー311内で変更された場合、変更済公正データは、の使用を介してデータベース365に変更されると改変された構成データは、監視装置120に転送される。これにより、構成データは、監視装置120のメモリー311に格納され、ウェブサーバ365のデータベース365と同期される。
【０１１１】
以下に説明する通り、ウェブポータルおよび/またはコントロールインターフェースにより、ユーザは、システム10の動作の多数の機能を構成することが可能である。
【０１１２】
一例としては、ウェブポータルおよび/またはコントロールインターフェースにより、ユーザは監視装置120用の1つ以上のルールおよび／または閾値を定義することができる。追加または代替的な形としてウェブポータルおよび/またはコントロールインターフェースは、監視対象人物1000の特定のタイプについて既定義のルールおよび閾値などの多くの設定に関連する1つ以上の既定義のプロフィールを提示する。システム10の既定義構成は、パーキンソン病または認知症のような一般的に監視を要する人々に関連する特定の条件も設定できる。ウェブポータルまたはコントロールインターフェースとのユーザ・インタラクションは、１つ以上の操作用の既設定プロファイルを選択および/または、ルールおよび／または閾値等の特定の設定をカスタマイズする一方で、選択されたプロファイルの他の設定済項目を保持する。
【０１１３】
別の形として、ユーザは、人が救助を要する場合に1人以上の人に警告できるよう通信デバイス330、340、350を選択することができる。一つの形としては、ユーザは連絡先リストを定義する事ができる。同リストには、特定の連絡先の人々に関連する複数の機器を含み、ユーザは連絡先に優先順位を付けることができる。電話の応答がない場合等、送信されたメッセージをデバイスが受信できない場合、監視装置120は、メッセージが正常に受信されるまで、リストの優先順位の上位から順に次のデバイスを選択する。
【０１１４】
別の選択肢としては、ユーザは、特定のルールにより1つ以上の通信デバイス330、340、350を関連付けることができる。具体的には、人がエリアから出たか否かを検出する特定のルールの場合、エリアの近くにいる人物に関連づけられた通信デバイスが、救助要請の送信先として適切であるものとして設定できる。対照的に、人がエリア内で倒れて意識を失っているか否かを検出する別のルールの場合、病院の連絡先をこの特定のルールの適切な連絡先として設定することができる。なお、関連する各ルールについての通信デバイスの優先順位リストは、当初の救助要請が受信できない場合のため、多くの他の連絡先にも救助要請が送信できるようになっているものと理解される。
【０１１５】
別のオプションとしては、構成データがネットワーク109内の優先順位付けされたセンサーデバイス110を示しうる。具体的には、ネットワーク109内において、優先度の高いセンサーデバイス110は、優先度の低いセンサーデバイス110と比べより高い頻度で感知活動を実行することができる。ネットワーク109内のセンサーデバイス110の優先順位付けは、エリア2000内の被監視者1000の習慣に従い、ユーザが設定できる。ウェブサーバ365が提供するウェブポータルを用いて、ユーザは、ネットワーク109内の該当センサーデバイス110の優先順位またはネットワーク109内の1つ以上のセンサーデバイスの検知頻度を設定することができる。
【０１１６】
別のオプションとしては、ユーザは、エリア2000の特定の部分用の特定ルールおよび閾値を定義することができる。例えば、自宅内の異なるレベルに異なる閾値を設定することができる（すなわち、レベル1レベル2等）。特定のセンサーデバイス110は階段が関連付けられている状況において、監視装置120は、被監視者が階段を上り下りする頻度の変化の予想値を考慮にいれて構成することができる。
【０１１７】
別のオプションとしては、システム10の動作可能期間は、ユーザにより選択可能である。例えば、エリア2000が長時間にわたって使用されないと思われる期間内について、ユーザは、システム10の動作を無効にすることができる。
【０１１８】
さらに、エリア2000内の複数の人々1000を監視できるようシステム10を構成することもできる。具体的には、エリア内の複数の人々に異なる閾値を使用することができる。複数のセンサーデバイス110a〜110nに感知された動きのパターンは、監視対象の複数の人物を区別するために監視装置120により使用されうる。これにより、異なるルールおよび閾値を上記の区別に応じて適用できる。
【０１１９】
図4は、エリア2000内の人を監視するための例示的な方法400を示すフローチャートである。明確には、図4に関連して開示された方法400は、ユーザがエリア内で倒れたか否かを検出する単一のルールの適用に関するものである。ただし、監視装置120は、多様なルールならびに複数のルールを適用するところ、図4は、単一のルールを適用する場合のみを示しているものである。また、図4に関連して開示された方法400は、図3Bに関連して説明したシステム10にも適用可能である。ただし、このような図3Cまたはその別形で開示した多数のその他のシステムバリエーションは、方法400に関連して一般的に使用され得るところ、図4は、図3Bのシステムに関連する方法400の適用のみを示すものであることを、明確にされたい。
【０１２０】
ステップ410において、方法400は、センサーデバイス110を用いてエリア内の被監視者までの距離を感知することを含む。人までの距離を測定するエリアは、一般に、「アクティブエリア」と呼ばれる。
【０１２１】
ステップ420において、方法400は、被監視者1000までの距離の変化率（以下、「変化率」と呼ぶ）が閾値を超えるか否かを判断する監視装置120を含む。以前に収集された距離の記録が変化率を判断するために使用されるものと理解される。変化率が閾値を超えていない場合には、方法はステップ410に戻り、感知された距離情報の収集を継続する。変化率が閾値を超えた場合には、方法はステップ430に進む。
【０１２２】
ステップ430において、方法400は、アクティブエリア内の人までのさらなる距離を感知するセンサーデバイス110を含む。ステップ440において、方法400は、新たに感知された信号を考慮に入れた変化率が、変化率の減少を示すものであるかどうかを決定する監視装置120を含む。変化率に減少が見られなかった場合、方法400はステップ430に進み、感知された距離情報の収集を継続する。変化率が減少したと判断される場合、方法400はステップ450に進む。
【０１２３】
ステップ450において、方法400は、近隣エリアの変化率が閾値を超えたかどうかを決定する監視装置120を含む。１つの形としては、各装置105は、隣接するエリアの変化率があったか否かを示すネットワーク109内の隣接デバイス105からデータを受信できる。ポジティブ比較の場合、方法400は、ステップ455に進み、新たなアクティブエリアの監視装置120は、人物1000を監視するため、各センサーデバイス110を監視する。というのも、感知された変化率は、人物が前のアクティブエリアを出たことを明示するためである。次に、方法400はステップ410に戻る。ネガティブ比較の場合、方法400は、ステップ460に進む。
【０１２４】
ステップ460において、方法400は、アクティブセンサーデバイス110から受信した新しい感知信号に基づく、被監視者とセンサーデバイス110との間の新たな距離情報が格納された監視装置120を含む。
【０１２５】
ステップ470において、方法400は、被監視者1000が応答するか否かの判断を含む。例えば立ちあがる等の動作で、被監視者1000が正常に応答する場合、方法400はステップ410に戻る。被監視者1000が正常に応答しない場合、方法400はステップ480に進む。
【０１２６】
ステップ480において、方法400は、監視装置120により救助要請機能の実行を含む。これにおいて、監視装置120は、1つ以上の通信デバイスに救助要請を転送することができる。具体的には、監視装置120は、インターフェース313と通信状態にある1つ以上のネットワーク320を利用して、1つ以上の受信デバイス330、340、350にメッセージを送信するように構成できる。１つの形としては、メッセージは、ポケットベルデバイス330による受信用のポケットベルメッセージ、携帯電話340による受信用のSMS/MMSメッセージ、電話340で受信用の自動化された電話連絡、処理システム350での受信用のEメールメッセージ、処理システム350で閲覧可能なウェブサイトの更新等の監視装置120と通信状態にある通信デバイス用に、あらゆる通信メディアの形をとりうる。
【０１２７】
救助要請は、エリアの物理アドレス、検出されたイベントが発生した時間（すなわち、被監視者が倒れた、活動がない、エリアを出た等）、被監視者1000の名前、被監視者1000の医療情報、被監視者が被った可能性のある怪我を救助するために救助者にとって有用と思われるその他の詳細情報について、エリア2000に関する情報を提供することができる。監視装置120は、救助要請を生成するために取得される詳細情報をメモリーに格納しておくことができる。
【０１２８】
別のオプションとしては、１つ以上のデバイス330、340、350に送信された救助要請が正常に受信できなかった場合に、センサーデバイス110に関連づけられた１つ以上の電灯540を点滅モードで動作させ、事故発生について近隣居住者等の注意を引くことができる。これについては、図面6〜11に関連して後述する。他の形としては、センサーデバイス110は、付加的または代替的に、事故について注意喚起をするための聴き取り可能な信号を発するように操作されたスピーカ541を含む。電灯540および/またはスピーカ541が、救助の必要性を判断する監視装置120に応答して作動するために、監視装置は、1つ以上のセンサーデバイス110〜120に救助データを転送する。センサーデバイス110の処理装置は、救助データの受信に応答してスピーカ541および／または電灯540を作動させる。１つの形としては、 監視装置120において１つ以上のルールが満たされる場合、関連する1つ以上のセンサーデバイス110のスピーカ541および／または電灯540を作動させることができる。例えば、特定のセンサーデバイス110が、被監視者1000が倒れている事を示すセンサー信号を生成した場合、各センサーデバイスのスピーカ541および／または電灯540は救助データを受信し点灯する。この構成により、救助要請に向かう人々は、エリア2000内の被監視者1000の位置を特定し、救助に役立てることができる。
【０１２９】
各センサーデバイス110によって感知することができるパラメータの数は多数に及ぶ。各センサーデバイス110は、各センサーデバイス110とエリア2000内の人物1000との距離および/またはセンサーデバイス110と被監視者1000との間の距離を検出できることが好ましい。
【０１３０】
１つの形としては、各センサーデバイス110は、1つ以上の距離検出センサー1120を含むことができる。一例において、各センサーデバイス110は、1つ以上の超音波センサーを含むことができる。図1Aから1Dに示す通り、各超音波センサーは、第一の超音波信号111を放射する。第二の超音波信号は、図1Aから1Dに示すように、人物1000に反射され、センサーデバイス110の超音波センサーによって捉えられる。超音波センサーは、第一の超音波信号111が放射された時と第2の超音波信号112が収集された時の時差を判断する。これにより、センサーデバイス110は、人物1000とセンサーデバイス110との間の距離を判断することができる。
【０１３１】
距離検出センサーの追加または代替タイプには、レーザ距離計、深度測定センサー、3Dスキャナ、3Dセンサーまたはイメージセンサー等のセンサーデバイス110の少なくともいくつかが含まれる。センサーの具体的な構成は、図5A〜12に関連して下記詳述する。上述のように、軌道、速度、被監視者1000の加速度等の感知された複数のセンサー信号から他のパラメータを計算することができる。
【０１３２】
ネットワーク109の各センサーデバイス110は、定期的に感知機能を実行するように構成することができる。一例としては、センサーデバイス110は、約1Hzの周波数で人物までの距離を感知するように構成されているが、他の周波数を使用することもできる。上述したように、エリア内の人物との距離を検知するセンサーデバイス110の周波数は調整することができる。図1Aから図1Dに示した通り、センサーデバイス110は、円錐状のプロファイルから放射される実質的に円形のプロファイルにおいて、人物1000までの距離を検出することができる。ただし、センサーコンポーネントの種々の配置により、検出可能なエリアの他のプロファイルも達成できる。これについては、以下に詳述する。
【０１３３】
１つのバリエーションとしては、監視装置120は、ネットワーク109内の1つ以上のセンサーデバイス110の動作を動的に調整するよう構成することができる。１つの形としては、監視装置120が１つ以上の操作ルールが満たされたと判断した場合に、センサーデバイス（群）110の動作の動的調整が生じうる。一例としては、監視装置120は、受信したセンサー信号の履歴分析に基づいて、各センサーデバイス（群）110が感知活動を実行する周波数を動的に調整するように構成することができる。具体的には、監視装置120は、ネットワーク109内のどのセンサーデバイス120が、平均値よりも多くの割合のセンサー信号113を監視装置120へ転送するように関連づけるかを決定することができる。ここにおいて、監視装置120は、平均周波数よりも高い周波数での感知活動を行う各センサーデバイス110を構成することができる。例えば、特定のセンサーデバイス110が通常の感知活動を1Hzで行う場合、監視装置120は、監視装置120が各センサーデバイス110から平均値より高いセンサー信号113を受信した場合には、各センサーデバイス110の感知活動を二倍の周波数（すなわち2Hz）で行うように構成することができ、同様に監視装置120は、一定期間にわたって平均値よりもセンサー信号113を転送した特定のセンサーデバイス110について、より低い周波数（すなわち、0.5ヘルツ）で感知活動を実行するよう構成することもできる。監視装置120は、センサーデバイス110から複数の受信されたセンサー信号113の平均値を決定するように構成されうる。そして、1つ以上の各センサーデバイス110a〜110nは、監視装置120によって受信されたセンサー信号113の履歴記録に基づき、センサー活動を実行する周波数を自動的に調整することができる。センサーデバイス110が感知機能を実行する周波数の動的な再構成が一般的に利用されるため、監視可能エリアにおける入口と出口のポイントにおける感知周波数のレートは高い。構成データは、監視装置120によって生成され、該当センサーデバイス110へ転送される。さらに、データベース365は、1つ以上のセンサーデバイス110を用いて施行される動的な変更を同期している。
【０１３４】
図5Aから図11は、エリア内の人を監視するために使用することができるセンサーデバイス110の様々な実装を示すものである。なお、図5Aから図11に示したセンサーデバイス110は、装置105と監視装置120を統合した形で提供されうる。
【０１３５】
図5A、5Bおよび5Cをより具体的に参照すると、センサーデバイス110は、付属器具505内に取り付けられている超音波センサー530と共に提供されうる。超音波センサー530は、特定のメディア510によってサポートされうる。これにより超音波信号は、少なくとも部分的には超音波センサー530によって感知でき、エリア2000内の人物1000までの距離を感知することができる。図5Aに示す通り、付属器具505は、高い位置にあるエリアの表面にセンサーデバイス110を効果的に取り付けるためのねじ山520または溝のある取り付け面を含む。図5Aおよび図5Bに示す通り、センサーデバイス110は、高い位置にあるエリア表面と同一平面に置かれるよう構成されている。図5Cに示すように、センサーデバイス110は、監視エリアを拡大するために利用できる1つ以上のセンサーコンポーネント530を含む。
【０１３６】
図6を参照すると、別のセンサーデバイス110が示されており、付属器具の周囲に配置する形で複数のセンサーコンポーネント530を備えているため、監視エリアを拡大することができる。電灯は、付属器具の中央に配置することができる。
【０１３７】
図8には、１つ以上のセンサーデバイスを取り付けるための複数のセンサー取付部820を含む付属器具の形での本体800の一例が示されている。センサー取付部820が取付器具800の円筒体810の周辺に均等に配置されており、円筒体810により、電灯及び電源の供給サポートが可能である。図8に示したセンサー取付部820により、感知センサー1020を下方向に向けられ、センサー取付部820は、垂直方向に約45度等、外向きに傾けて取り付けることもできる。
【０１３８】
図8に示した本体800には、照明器具と結合する第一の結合装置840および電灯と結合する第2の装置850が含まれる。本体800には、照明器具の電灯ソケットと電灯との間の電気接続を可能にする電気コネクタが含まれる。また、電気コネクタを介して供給される電力は、センサーデバイス110に電力を供給するために使用される。第一の結合装置840には、照明器具の電灯ソケットに結合するためのねじ山またはバヨネット装置が含まれる。また、第二の結合装置には、電灯と結合するためのねじ山とバヨネット受入装置が含まれる。処理システムおよびセンサーデバイス110の通信モジュールは、本体800に収容できる。図8で示した装置の設置は簡単であり、技術的な経験がほとんどない人も問題なく、センサーデバイス110を設置することができる。
【０１３９】
図7Aおよび図7Bは、エリア内の人までの距離を検出するための1つ以上のセンサーコンポーネント530および1つ以上の電灯540が含まれるデバイス110である。設置を容易にするため、センサーコンポーネント530とセンサーデバイス110の電灯540は、共通の電源インターフェース720を共有する。図7Aに示す通り、1つ以上のセンサー530は、１つ以上の電灯540を支えるパネル730から突出している場合もあるが、フレーム710に支えられている。あるいは、図7Bに示す通り、１つ以上のセンサー530は、パネル730と水平の高さになるように備え付けられている。
【０１４０】
前述したようにレーザ距離計は、距離検出センサーとして使用される。図9に示す通り、1つの形としては、センサーデバイス110には、回転メカニズムを含む距離検出センサー1120を背後に備えたカバー900が含まれる。これによりセンサーデバイス110は、レーザ距離計によって生成された掃引反射ビーム112を受信し、そのエリアに関する3次元情報を生成する。図8も同様に、図9のセンサーデバイス110には、センサーデバイス110を照明器具に結合するための第1の結合装置840および電灯と結合するための第2の結合装置850が含まれる。図8に関連して説明したように、図9のセンサーデバイス110には、電気コネクタが含まれる。
【０１４１】
図10には、センサーデバイス110のその他の例の透視図が示されている。図11には、図10に示したセンサーデバイス110のブロック図が示されている。センサーデバイス110には、１つ以上の動作感知センサー1110および/または1つ以上の距離感知デバイス1120が含まれる。センサーデバイス110には、１つ以上の動作感知センサー1110および/または1つ以上の距離感知デバイス1120の感知エリアを部分的にカバーする１つ以上のカバー1020が含まれており、これによりセンサーデバイス110の動作感知対象エリアおよび／または距離感知対象エリアを定義する。図10は2つのカバーを示しているが、センサーデバイス110は、2〜6のカバーを含むことができる。１つ以上の動作感知センサーおよび/または1つ以上の距離検出デバイスは、水平方向に対して下向きに約45度の角度を付けて設置できる。
【０１４２】
図11に示す通り、センサーデバイス110には、通信モジュール1130、バッテリー1140、スピーカ541、LEDランプ540、マイクロフォン1160、光センサー1150が含まれる。センサーデバイス110には、センサー1110、1120、バッテリー1140、スピーカ541、LEDランプ540および光センサー1150と電気通信状態にあるマイクロコントローラ1100が含まれる。マイクロコントローラ1100は、処理システム300に関連して、図3に示すように構成することができる。
【０１４３】
１つの形において、センサーデバイス110は、2つの動作状態を有する。第1の状態において、動作感知センサー1110はアクティブであるが、距離検出センサーは非アクティブである。１つ以上の動作検出センサー1110からマイクロコントローラ1100が信号を受信すると、センサーデバイス110は、第2の状態で動作する。これにより、動作検出センサー110および距離検出センサーがアクティブとなる。マイクロコントローラ1100が、一定期間の間センサー1110、1120のいずれかから人物の監視を示す信号を受信していないことを感知した後、センサーデバイスは、第２の状態から第１の状態へ切り替わる。この構成は、バッテリー駆動のセンサーデバイス110が電力消費を低減するために特に有用である。
【０１４４】
センサーデバイス110の通信モジュール1130は、監視装置120との二重または全二重無線通信を可能にする。センサーデバイス110が第1の状態で動作する際は、マイクロコントローラ1100は非アクティブモードで動作するように通信モジュール1130に設定することができる。あるデータをセンサーデバイス110に転送する必要があるかどうかを決定するため、マイクロプロセッサ1100は、監視装置120にメッセージを転送するため、アクティブモードで動作するように、通信モジュール1130を周期的に切り替えることができる。データがセンサーデバイス110に送られる必要はない場合、マイクロコントローラ1100は、電力消費を低減する非アクティブモード120に通信モジュール1130に切り替える。動作検出センサー1110の１つが動作を感知すると、マイクロコントローラ1100は、アクティブモードで動作するよう通信モジュール1130を切り替えることができる。
【０１４５】
１つの実施形態において、光センサー1150は、センサーデバイス110が設置されるエリアにおいて、環境光を感知するように構成されている。マイクロプロセッサ1100は、光センサー1150から受信した環境光の測定値とマイクロコントローラ1100のメモリーに格納された環境光の閾値と比較し、測定値が閾値以下である場合には、マイクロコントローラ1100は、LEDランプ540を作動させる。センサーデバイス110は、常夜灯としても動作できるため好都合である。環境光の測定値が環境光の閾値以上である場合、マイクロコントローラ1100は、LEDランプ540を非アクティブにする。
【０１４６】
１つの実施形態では、ユーザは、常夜灯モードで動作するように１つ以上のセンサーデバイス110を設定することができる。具体的には、ユーザは、遠隔処理システム360がホストするポータルを介して、または監視装置120を介して、構成データを設定でき、ネットワーク109内の1つ以上のセンサーデバイス110を常夜灯として動作させるか否かを設定できる。センサーデバイス110が常夜灯モードで作動しないように設定されている場合、マイクロコントローラ1100は、環境光が環境光の閾値以下であることを示す光センサー1150からの信号の受信に反応してLEDランプ540を作動させない。センサーデバイス110が常夜灯モードで作動するように設定されている場合、環境光の信号が環境光閾値以上であれば、マイクロコントローラ1100は、上述の通り、LEDランプ540を作動させる。
【０１４７】
センサーデバイス110は、センサーデバイス110が動作可能であることを示すため、マイクロコントローラ1100により定期的に作動させるLEDを含む。また、フィードバックを提供するため、LEDは監視装置110とのデータ通信中にも作動させることができる。図10に示されたセンサーデバイス110の例では、環境光センサーには、センサーデバイス110が動作可能であることを示すために作動されるLEDが含まれる。
【０１４８】
マイクロフォン1160およびスピーカ541は、被監視者とリモートデバイスのユーザとの間の双方向通信を確立するために使用できる。具体的には、マイクロフォン1160は、感知した音声を取り込み、それを監視装置120に送信すると共にリモートデバイスに転送できる。さらに、リモートデバイスから受信した音声データは、監視装置120により各センサーデバイス110に転送され、スピーカ541によって放射される。
【０１４９】
図12には、監視装置120の一例が示されている。具体的には、監視装置120には、処理システム300を収容するカバーが含まれる。監視装置120は、カバーから突出しており、監視装置120の通信モジュールと電気通信状態にあるアンテナ1220を含む。監視装置120は、エリア2000内における電源供給のため、監視装置120に接続するための電気コネクタ1210が含まれる。一般に、監視装置120は、1つ以上のセンサーデバイス110から15メートル以内に設置される。
【０１５０】
監視装置120を電源に接続すると、監視装置120は、メモリーに格納されている初期化プロセスを行う。具体的には、監視装置は、監視装置が通信できる1つ以上のセンサーデバイス110を検出する。監視装置120は、感知されたセンサーデバイス110のリストをウェブサーバ処理システム360に転送する。その後、ユーザは、監視装置によりホストされているウェブサイトを訪問し、検出されたデバイス110の閲覧およびシステム10の様々な設定を行うことできる。
【０１５１】
代替的な構成としては、監視装置120がエリア2000内のプライベートコンピュータネットワークなどのLANと通信することができる。ユーザは、LANの一部であるコンピュータを使用してウェブブラウザ経由で閲覧可能な電子ページを閲覧することができる。監視装置120の処理システム300は、サーバ処理システム360として作動する。従って、この構成では、システム10の専用サーバ処理システム360は不要である。
【０１５２】
この初期化プロセス中の監視装置120は、１つ以上のセンサーデバイス110と通信するための通信周波数を決定することもできる。具体的には、監視装置120は、他の無線通信デバイスから受信された信号強度インジケータ（RSSI）に基づいて、最も干渉性のない特定の周波数スペクトル内の1つ以上の周波数を検出することができる。１つ以上の周波数を検出すると、監視装置120は、１つ以上の周波数を示す1つ以上のセンサーデバイス110にデータを転送する。
【０１５３】
１つの実施形態としては、監視装置120は、１つ以上のセンサーデバイス110に構成データを転送し、１つ以上のセンサーデバイス110に放射された通信信号の強度を変更することができる。特に、監視装置は、ネットワーク109内の各センサーデバイス110から受信した通信信号の信号強度を感知することができる。ネットワーク109のレイアウトにより、特定のセンサーデバイス110から受信する特定の信号が、必要以上に高くなる場合がある。センサーデバイス110による電力消費を維持するため、監視装置120は、1つ以上のセンサーデバイス110に構成データを転送し、各１つ以上のセンサーデバイス110の通信モジュール1130によって放射される信号の信号強度を変更することができる。上記構成データを受信する各センサーデバイスのマイクロコントローラ1100は、その後、通信モジュール1130によって放射された信号の強度を動的に変更することができる。
【０１５４】
１つのバリエーションとして、1つ以上のセンサーデバイス110は、該当エリアの1つ以上の電灯スイッチと電気通信することができる。電灯スイッチは、システム10の特定の動作をコントロールするために使用できる。
【０１５５】
具体的な１つの形としては、図5A〜10に関連して説明したセンサーデバイス110/装置105の１つ以上の電灯540の選択的操作を介して、救助要請を開始することができる。具体的には、被監視者1000が救助要請を開始することを希望する場合に、被監視者1000は、電灯540に関連付けられた電灯スイッチを特定の順序で操作できる。例えば、救助要請を開始するために予め定義された順序に、特定の時間内に電灯スイッチのフリックオンおよびオフをすばやく３回上行うことが含まれており、監視装置120は、電灯スイッチ540の特定の順序での操作を検知し、これにより1つ以上の通信デバイス330、340、350の救助要請を開始する。
【０１５６】
別の形として、ユーザは、1つ以上の電灯スイッチを、システム10の動作をテストするために操作できる。例えば、上記と同様に、ユーザは、システム10のテスト動作を開始するために、事前定義された順序で電灯スイッチの１つを選択的に操作することができる。システム10は、1つ以上のテスト機能を実行することができる。テスト機能が正常に実行された場合、装置の1つ以上の電灯540はシステム10のテスト動作の成功を示すために点滅する。
【０１５７】
別のバリエーションとして、監視装置120は、ログファイル内に被監視者1000に関する特定の事象または状態を推定するために解釈に利用できる特定のセンサー信号を格納することができる。ログファイルは、履歴データを示すもので、リモート分析を可能にするために、例えばウェブ・ポータルを介して、遠隔処理システムへ遠隔操作でダウンロードすることができる。ログファイルは、特定の傾向が長期間にわたって発生しているかどうかを判断するために使用される。具体的には、扉やトイレに隣接して設置されたセンサー110から受信したセンサー信号は、監視装置120により、格納することができる。この情報は、被監視者が特定の障害または状態で苦しんでいるかを判断するために使用することができる。追加的または代替的には、監視装置120は、転倒または傷害等の当人へ害が及ぶ危険性が高まっているかを判断するために、ログファイルを使用することができる。このログファイルは、医療専門家によって推定、図表化、分析されうる。ログファイルに格納され、ログファイルから解釈することができる他の情報には、エリア2000内における被監視者1000の歩行平均速度、またはエリア2000内における人物1000の歩行パターンが含まれる。被監視者がエリア内を移動する平均速度の急激な減速、またはログファイルの分析によって示される被監視者の移動の特定のパターンがあった場合において、医療従事者は、監視者1000の特定の状態が発生または悪化したかを判断し、適切な処置をとることができる。
【０１５８】
別のバリエーションにおいては、システム10を初期化し、センサーデバイス110a-110nは、被監視者1000がいなくともエリア2000を示すセンサー信号を転送することができる。監視装置120は、この初期化データを、被監視者1000がエリア内に存在することを示す指標となるエリア2000内の距離上の変化が発生したか否かという点を判断するためのベンチマークデータセットとして使用することができる。
【０１５９】
なお、センサーデバイス110の少なくとも一部には、電力を使用して作動する電力インターフェースが含まれる。ただし、追加的または代替的な形としては、センサーデバイス110には、バッテリー電源が含まれうる。センサーデバイス110には、電源を調整するために様々な配列が含まれるものと理解される。
【０１６０】
別の実施形態としては、感知された音声がマイクロフォン1160に取り込まれたことを示す1つ以上の信号は、人が救助を必要とするかを判断するための1つ以上のルールにより使用できる。感知された音声の音量が閾値より大きいか、音声の音量が特定の期間にわたって一定の割合閾値より大きい場合、監視装置120は、救助要請を開始することができる。
【０１６１】
別のバリエーションにおいて、センサーデバイスは、距離検出センサー1120を動作検出センサー1110として利用できる。具体的には、距離検出センサー1120による人物までの距離の変化の検出は、被監視者2000の動作を示しうる。
【０１６２】
別のバリエーションでは、監視装置120は、サーバ処理システム360を介して救助を要請するために1つ以上のデバイスと通信することができる。
【０１６３】
特定の実施形態では、センサーデバイス110は、煙感知器またはガス感知器を含むか、その一部をなす。１つの実施形態では、センサーデバイス110は、煙感知器を含む煙感知器カバー内に収容することができる。他の実施形態では、センサーデバイス110は、ガス感知器を含むガス感知器カバー内に収容することができる。
【０１６４】
別の実施形態では、１つ以上のセンサーデバイス110は、周囲の温度および被監視者2000からの熱の少なくとも一方を感知するための1次元または2次元の熱センサー1170を含む。周囲の温度および被監視者2000の熱を示す監視装置120によって受信されたデータは、被監視者の存在および/または動作の感知に使用することができ、および／または救助の必要性を決定するための1つ以上のルールで使用することができる。
【０１６５】
被監視者1000が救助を必要とするかどうかについての監視装置120による判断は、感知されたパラメータに基づく推定であると理解される。
【０１６６】
エリア2000は、どのタイプのエリアにも1つ以上のセンサーデバイス110が設置されていると理解される。例えば、1つ以上のセンサーデバイス110は、エリアが建物であれ住居であれ、家庭内使用の目的で利用できる。エリア2000はまた、職場の安全のため、職場または一時的な職場にも利用できる。1つ以上のセンサーデバイス110が設置されうる職場または一時的な職場の具体例としては、下水道または鉱山が含まれる。1つ以上のセンサーデバイス110は、公園、歩道、道路、鉄道駅などの他のエリアでも使用することができる。
【０１６７】
上記の実施形態は、完全なるハードウェアの実施形態、完全なるソフトウェアの実施形態、ファームウェア、またはソフトウェアとハードウェアを組み合わせた実施形態をとることができる。
【０１６８】
多くの改変は、本発明の範囲から逸脱せず、技術知識のある人物にとっては明白であろう。
【図１Ａ】
2015502598.tif 000003
【図１Ｂ】
2015502598.tif 000004
【図１Ｃ】
2015502598.tif 000005
【図１Ｄ】
2015502598.tif 000006
【図２】
2015502598.tif 000007
【図３Ａ】
2015502598.tif 000008
【図３Ｂ】
2015502598.tif 000009
【図３Ｃ】
2015502598.tif 000010
【図４】
2015502598.tif 000011
【図５Ａ】
2015502598.tif 000012
【図５Ｂ】
2015502598.tif 000013
【図５Ｃ】
2015502598.tif 000014
【図６】
2015502598.tif 000015
【図７Ａ】
2015502598.tif 000016
【図７Ｂ】
2015502598.tif 000017
【図８】
2015502598.tif 000018
【図９】
2015502598.tif 000019
【図１０】
2015502598.tif 000020
【図１１】
2015502598.tif 000021
【図１２】
2015502598.tif 000022
【国際調査報告】
2015502598.tif 000023
2015502598.tif 000024
2015502598.tif 000025
2015502598.tif 000026
2015502598.tif 000027